(57)【要約】【課題】  マルチチャネルの音声信号の圧縮率を改善する。【解決手段】  ミクス＆マトリクス回路１’は６chのＰＣＭデータをそれぞれ加減ミックスし、各相関回路１−１，〜１−ｎ毎に所定の式により各チャンネルの相関性をとり、これら相関データに基づいて各予測回路１５おいてチャンネル毎の予測残差を算出し、これら各予測残差のうち最小となるデータを予測器選択信号生成器１７ａにより選択して、パッキング回路１８を通じてフォーマット化回路１９に供給し、ここで、所定のビットストリームにフォーマット化等の処理をした後、所定の通信回線を通じて伝送する。【選択図】        図１２
2004326135.tif 000002
【特許請求の範囲】
【請求項１】
元のマルチチャネルの音声信号をダウンミクスしてステレオ２チャネルの音声信号に変換するステップと、
前記ダウンミクスされない元のチャネルの複数チャネルの各音声信号を所定のマトリクス演算により相関性のある音声信号に変換するステップと、
前記ステレオ２チャネルと前記相関性のある音声信号のチャネル毎に入力される音声信号に応答して先頭サンプル値を得ると共に、特性が異なる複数の線形予測方法により時間領域の過去から現在の信号の線形予測値がそれぞれ予測され、その予測される線形予測値と前記音声信号とから得られる予測残差が最小となるような線形予測方法を選択するステップと、
ヘッダ情報と、圧縮ＰＣＭプライベートヘッダ及びオーディオ圧縮ＰＣＭデータ部を含むユーザデータと、を含んだデータ構造にすると共に、前記ステップにより選択された各チャネルの先頭サンプル値と予測残差と線形予測方法を含む予測符号化データを、前記オーディオ圧縮ＰＣＭデータ部内に記録し、前記音声信号のＵＰＣ／ＥＡＮ番号及びＩＳＲＣコードを前記圧縮ＰＣＭプライベートヘッダ内に配置するステップからなる音声符号化方法により符号化された音声信号を伝送する音声信号伝送方法であって、
前記選択された先頭サンプル値と予測残差と線形予測方法とを含む予測符号化データと前記音声信号のＵＰＣ／ＥＡＮ番号及びＩＳＲＣコードをパケット化して伝送することを特徴とする音声信号伝送方法。
【請求項２】
元のマルチチャネルの音声信号をダウンミクスしてステレオ２チャネルの音声信号に変換するステップと、
前記ダウンミクスされない元のチャネルの複数チャネルの各音声信号を所定のマトリクス演算により相関性のある音声信号に変換するステップと、
前記ステレオ２チャネルと前記相関性のある音声信号のチャネル毎に入力される音声信号に応答して先頭サンプル値を得ると共に、特性が異なる複数の線形予測方法により時間領域の過去から現在の信号の線形予測値がそれぞれ予測され、その予測される線形予測値と前記音声信号とから得られる予測残差が最小となるような線形予測方法を選択するステップと、
ヘッダ情報と、圧縮ＰＣＭプライベートヘッダ及びオーディオ圧縮ＰＣＭデータ部を含むユーザデータと、を含んだデータ構造にすると共に、前記ステップにより選択された各チャネルの先頭サンプル値と予測残差と線形予測方法を含む予測符号化データを、前記オーディオ圧縮ＰＣＭデータ部内に記録し、前記音声信号のＵＰＣ／ＥＡＮ番号及びＩＳＲＣコードを前記圧縮ＰＣＭプライベートヘッダ内に配置するステップからなる音声符号化方法により符号化されたデータから元の音声信号を復号する音声復号方法であって、
前記選択された先頭サンプル値と予測残差と線形予測方法を含む予測符号化データから予測値を算出するステップと、
この算出された予測値から前記第１の複数チャンネルのデジタル音声信号を復元するステップと、
からなる音声復号方法。
【発明の詳細な説明】
【技術分野】
【０００１】
本発明は、音声信号を予測符号化して圧縮するための音声符号化方法により符
号化された音声信号の伝送方法及び音声復号方法に関する。
【背景技術】
【０００２】
音声信号を予測符号化する方法として、本発明者は先の出願（特願平９−２８
９１５９号）において１チャネルの原デジタル音声信号に対して、特性が異なる
複数の予測器により時間領域における過去の信号から現在の信号の複数の線形予
測値を算出し、原デジタル音声信号と、この複数の線形予測値から予測器毎の予
測残差を算出し、予測残差の最小値を選択する方法を提案している。
【発明の開示】
【発明が解決しようとする課題】
【０００３】
しかしながら、上記方法では原デジタル音声信号がサンプリング周波数＝９６
ｋＨｚ、量子化ビット数＝２０ビット程度の場合にある程度の圧縮効果を得るこ
とができるが、近年のＤＶＤオーディオディスクではこの２倍のサンプリング周
波数（＝１９２ｋＨｚ）が使用され、また、量子化ビット数も２４ビットが使用
される傾向があるので、圧縮率を改善する必要がある。
【０００４】
そこで本発明は、音声信号を予測符号化する場合に圧縮率を改善することがで
きる音声符号化方法により符号化されたデータの伝送方法及び音声復号方法を提供することを目的とする。
【課題を解決するための手段】
【０００５】
本発明は上記目的を達成するために、１）及び２）に記載の手段よりなる。
すなわち、
【０００６】
１）元のマルチチャネルの音声信号をダウンミクスしてステレオ２チャネルの音声信号に変換するステップと、
前記ダウンミクスされない元のチャネルの複数チャネルの各音声信号を所定のマトリクス演算により相関性のある音声信号に変換するステップと、
前記ステレオ２チャネルと前記相関性のある音声信号のチャネル毎に入力される音声信号に応答して先頭サンプル値を得ると共に、特性が異なる複数の線形予測方法により時間領域の過去から現在の信号の線形予測値がそれぞれ予測され、その予測される線形予測値と前記音声信号とから得られる予測残差が最小となるような線形予測方法を選択するステップと、
ヘッダ情報と、圧縮ＰＣＭプライベートヘッダ及びオーディオ圧縮ＰＣＭデータ部を含むユーザデータと、を含んだデータ構造にすると共に、前記ステップにより選択された各チャネルの先頭サンプル値と予測残差と線形予測方法を含む予測符号化データを、前記オーディオ圧縮ＰＣＭデータ部内に記録し、前記音声信号のＵＰＣ／ＥＡＮ番号及びＩＳＲＣコードを前記圧縮ＰＣＭプライベートヘッダ内に配置するステップからなる音声符号化方法により符号化された音声信号を伝送する音声信号伝送方法であって、
前記選択された先頭サンプル値と予測残差と線形予測方法とを含む予測符号化データと前記音声信号のＵＰＣ／ＥＡＮ番号及びＩＳＲＣコードをパケット化して伝送することを特徴とする音声信号伝送方法。
２）元のマルチチャネルの音声信号をダウンミクスしてステレオ２チャネルの音声信号に変換するステップと、
前記ダウンミクスされない元のチャネルの複数チャネルの各音声信号を所定のマトリクス演算により相関性のある音声信号に変換するステップと、
前記ステレオ２チャネルと前記相関性のある音声信号のチャネル毎に入力される音声信号に応答して先頭サンプル値を得ると共に、特性が異なる複数の線形予測方法により時間領域の過去から現在の信号の線形予測値がそれぞれ予測され、その予測される線形予測値と前記音声信号とから得られる予測残差が最小となるような線形予測方法を選択するステップと、
ヘッダ情報と、圧縮ＰＣＭプライベートヘッダ及びオーディオ圧縮ＰＣＭデータ部を含むユーザデータと、を含んだデータ構造にすると共に、前記ステップにより選択された各チャネルの先頭サンプル値と予測残差と線形予測方法を含む予測符号化データを、前記オーディオ圧縮ＰＣＭデータ部内に記録し、前記音声信号のＵＰＣ／ＥＡＮ番号及びＩＳＲＣコードを前記圧縮ＰＣＭプライベートヘッダ内に配置するステップからなる音声符号化方法により符号化されたデータから元の音声信号を復号する音声復号方法であって、
前記選択された先頭サンプル値と予測残差と線形予測方法を含む予測符号化データから予測値を算出するステップと、
この算出された予測値から前記第１の複数チャンネルのデジタル音声信号を復元するステップと、
からなる音声復号方法。
【発明の効果】
【０００７】
以上説明したように本願発明によれば、従来以上に圧縮率を改善した音声信号を伝送することができると共に、不都合なく音声信号を復号できる。
【発明を実施するための最良の形態】
【０００８】
以下、図面を参照して本発明を説明する。図１は本発明が適用される音声符号
化装置とそれに対応する音声復号装置の第１の実施形態を示すブロック図、図２
は図１の符号化部を詳しく示すブロック図、図３は図１、図２の符号化部により
符号化されたビットストリームを示す説明図、図４は図１の復号化部を詳しく示
すブロック図、図５はＤＶＤのパックのフォーマットを示す説明図、図６はＤＶ
Ｄのオーディオパックのフォーマットを示す説明図、図７、図８は音声伝送方法
を示すフローチャートである。
【０００９】
ここで、マルチチャネル方式としては、例えば次の４つの方式が知られている
。
（１）４チャネル方式      ドルビーサラウンド方式のように、前方Ｌ、Ｃ、Ｒ
の３チャネル＋後方Ｓの１チャネルの合計４チャネル
（２）５チャネル方式      ドルビーＡＣ−３方式のＳＷチャネルなしのように
、前方Ｌ、Ｃ、Ｒの３チャネル＋後方ＳＬ、ＳＲの２チャネルの合計５チャネル
（３）６チャネル方式      ＤＴＳ（Digital Theater System）方式や、ドルビ
ーＡＣ−３方式のように６チャネル（Ｌ、Ｃ、Ｒ、ＳＷ（Ｌｆｅ）、ＳＬ、ＳＲ
）
（４）８チャネル方式      ＳＤＤＳ（Sony Dynamic Digital Sound）方式のよ
うに、前方Ｌ、ＬＣ、Ｃ、ＲＣ、Ｒ、ＳＷの６チャネル＋後方ＳＬ、ＳＲの２チ
ャネルの合計８チャネル
【００１０】
図１に示す符号化側の６チャネル（ch）ミクス＆マトリクス回路１’は、マル
チチャネル信号の一例としてフロントレフト（Ｌｆ）、センタ（Ｃ）、フロント
ライト（Ｒｆ）、サラウンドレフト（Ｌｓ）、サラウンドライト（Ｒｓ）及びＬ
ｆｅ（Low Frequency Effect）の６chのＰＣＭデータを係数ｍij（ｉ＝１，２，
ｊ＝１，２〜６）を用いて次式（１）によりステレオ２チャネル（Ｌ、Ｒ）にダ
ウンミクスする。
Ｌ＝ｍ11・Ｌｆ＋ｍ12・Ｒｆ＋ｍ13・Ｃ
＋ｍ14・Ｌｓ＋ｍ15・Ｒｓ＋ｍ16・Ｌｆｅ
Ｒ＝ｍ21・Ｌｆ＋ｍ22・Ｒｆ＋ｍ23・Ｃ
＋ｍ24・Ｌｓ＋ｍ25・Ｒｓ＋ｍ26・Ｌｆｅ              …（１）
【００１１】
またミクス＆マトリクス回路１’は、元の６ch（Ｌｆ、Ｃ、Ｒｆ、Ｌｓ、Ｒｓ
、Ｌｆｅ）を前方グループに関する２chと他のグループに関する４chに分類して
４chを次式（２）のように、相関性のある信号「３」〜「６」に変換し、２ch（
Ｌ、Ｒ）を第１符号化部２’−１に、また、４ch「３」〜「６」を第２符号化部
２’−２に出力する。
「１」＝Ｌ
「２」＝Ｒ
「３」＝Ｃ−（Ｌｓ＋Ｒｓ）／２
「４」＝Ｌｓ＋Ｒｓ
「５」＝Ｌｓ−Ｒｓ
「６」＝Ｌｆｅ−Ｃ              …（２）
【００１２】
符号化部２’を構成する第１及び第２符号化部２’−１、２’−２はそれぞれ
、図２に詳しく示すように２ch「１」、「２」と４ch「３」〜「６」のＰＣＭデ
ータをチャネル毎に予測符号化し、予測符号化データを図３に示すようなビット
ストリームで記録媒体５や衛星回線や電話回線等の通信媒体６を介して復号側に
伝送する。復号側では復号化部３’を構成する第１及び第２復号化部３’−１、
３’−２により、図４に詳しく示すようにそれぞれ前方グループに関する２ch「
１」、「２」と他のグループに関する４ch「３」〜「６」の予測符号化データを
チャネル毎にＰＣＭデータに復号する。次いでミクス＆マトリクス回路４’によ
り式（１）、（２）に基づいて元の６ch（Ｌｆ、Ｃ、Ｒｆ、Ｌｓ、Ｒｓ、Ｌｆｅ
）を復元するとともに、ステレオ２chデータ（Ｌ、Ｒ）をそのまま出力する。
【００１３】
図２を参照して符号化部２’−１、２’−２について詳しく説明する。各ch「
１」〜「６」のＰＣＭデータは１フレーム毎に１フレームバッファ１０に格納さ
れる。そして、１フレームの各ch「１」〜「６」のサンプルデータがそれぞれ予
測回路１３Ｄ１、１３Ｄ２、１５Ｄ１〜１５Ｄ４に印加されるとともに、各ch「
１」〜「６」の各フレームの先頭サンプルデータ（後述のリスタートヘッダ内に
格納される）がアンパッキング回路８及びフォーマット化回路１９に印加される
。また、ＰＣＭデータがＡ／Ｄ変換されたときのサンプリング周波数（ｆｓ）と
量子化ビット数（Ｑｂ）がパッキング回路１８及びフォーマット化回路１９に印
加される。予測回路１３Ｄ１、１３Ｄ２、１５Ｄ１〜１５Ｄ４はそれぞれ、各ch
「１」〜「６」のＰＣＭデータに対して、特性が異なる複数の予測器（不図示）
により時間領域における過去の信号から現在の信号の複数の線形予測値を算出し
、次いで原ＰＣＭデータと、この複数の線形予測値から予測器毎の予測残差を算
出する。続くバッファ・選択器１４Ｄ１、１４Ｄ２、１６Ｄ１〜１６Ｄ４はそれ
ぞれ、予測回路１３Ｄ１、１３Ｄ２、１５Ｄ１〜１５Ｄ４により算出された各予
測残差を一時記憶して、選択信号／ＤＴＳ（デコーディング・タイム・スタンプ
）生成器１７により指定されたサブフレーム毎に予測残差の最小値を選択する。
【００１４】
選択信号生成器１７は予測残差のビット数フラグをパッキング回路１８とフォ
ーマット化回路１９に対して印加し、また、予測残差が最小の予測器を示す予測
器選択フラグと、後述するような相関係数をフォーマット化回路１９に対して印
加する。パッキング回路１８はバッファ・選択器１４Ｄ１、１４Ｄ２、１６Ｄ１
〜１６Ｄ４により選択された６ch分の予測残差を、選択信号生成器１７により指
定されたビット数フラグに基づいて指定ビット数でパッキングする。
【００１５】
続くフォーマット化回路１９は図３に示すようなユーザデータにフォーマット
化する。このユーザデータは前方グループに関する２ch（１）、（２）の予測符
号化データを含む可変レートビットストリームＢＳ０と、他のグループに関する
４ch（３）〜（６）の予測符号化データを含む可変レートビットストリームＢＳ
１と、ストリームＢＳ０、ＢＳ１の前に設けられたビットストリームヘッダによ
り構成されている。また、１フレーム分のストリームＢＳ０、ＢＳ１は
・フレームヘッダと、
・各ch（１）〜（６）の１フレームの先頭サンプルデータと、
・各ch（１）〜（６）のサブフレーム毎の予測器選択フラグと、
・各ch（１）〜（６）のサブフレーム毎のビット数フラグと、
・各ch（１）〜（６）の予測残差データ列（可変ビット数）と、
・後述する相関係数
が多重化されている。このような予測符号化によれば、原信号が例えばサンプリ
ング周波数＝９６ｋＨｚ、量子化ビット数＝２４ビット、６チャネルの場合、７
１％の圧縮率を実現することができる。
【００１６】
次に図４を参照して復号化部３’−１、３’−２について説明する。上記フォ
ーマットの可変レートビットストリームデータＢＳ０、ＢＳ１は、デフォーマッ
ト化回路２１によりストリームデータとフレームヘッダに基づいて分離される。
そして、各ｃｈ「１」〜「６」の１フレームの先頭サンプルデータと予測器選択
フラグはそれぞれ予測回路２４Ｄ１、２４Ｄ２、２３Ｄ１〜２３Ｄ４に印加され
、各ｃｈ「１」〜「６」のビット数フラグと予測残差データ列はアンパッキング
回路２２に印加される。ここで、予測回路２４Ｄ１、２４Ｄ２、２３Ｄ１〜２３
Ｄ４内の複数の予測器（不図示）はそれぞれ、符号化側の予測回路１３Ｄ１、１
３Ｄ２、１５Ｄ１〜１５Ｄ４内の複数の予測器と同一の特性であり、予測器選択
フラグにより同一特性のものが選択される。
【００１７】
アンパッキング回路２２は各ｃｈ「１」〜「６」の予測残差データ列をビット
数フラグ毎に基づいて分離してそれぞれ予測回路２４Ｄ１、２４Ｄ２、２３Ｄ１
〜２３Ｄ４に出力する。予測回路２４Ｄ１、２４Ｄ２、２３Ｄ１〜２３Ｄ４では
それぞれ、アンパッキング回路２２からの各ｃｈ「１」〜「６」の今回の予測残
差データと、内部の複数の予測器の内、予測器選択フラグにより選択された各１
つにより予測された前回の予測値が加算されて今回の予測値が算出され、次いで
１フレームの先頭サンプルデータを基準として各サンプルのＰＣＭデータが算出
される。
【００１８】
ここで、図２に示す符号化部２’−１、２’−２により予測符号化された可変
レートビットストリームデータを、記録媒体の一例としてＤＶＤオーディオディ
スクに記録する場合には、図５に示すオーディオ（Ａ）パックにパッキングされ
る。このパックは２０３４バイトのユーザデータ（Ａパケット、Ｖパケット）に
対して４バイトのパックスタート情報と、６バイトのＳＣＲ（System Clock Ref
erence：システム時刻基準参照値）情報と、３バイトのMux レート（rate）情報
と１バイトのスタッフィングの合計１４バイトのパックヘッダが付加されて構成
されている（１パック＝合計２０４８バイト）。この場合、タイムスタンプであ
るＳＣＲ情報を、ＡＣＢユニット内の先頭パックでは「１」として同一タイトル
内で連続とすることにより同一タイトル内のＡパックの時間を管理することがで
きる。
【００１９】
圧縮ＰＣＭのＡパケットは図６に詳しく示すように、９〜２２バイトのパケッ
トヘッダと、圧縮ＰＣＭのプライベートヘッダと、図３に示すフォーマットの１
ないし２０１５バイトのオーディオデータ（圧縮ＰＣＭ）により構成されている
。圧縮ＰＣＭのプライベートヘッダは、
・１バイトのサブストリームＩＤと、
・２バイトのＵＰＣ／ＥＡＮ−ＩＳＲＣ（Universal Product Code/European Ar
ticle Number-International Standard Recording Code）番号、及びＵＰＣ／Ｅ
ＡＮ−ＩＳＲＣデータと、
・１バイトのプライベートヘッダ長と、
・２バイトの第１アクセスユニットポインタと、
・４バイトのオーディオデータ情報（ＡＤＩ）と、
・０〜７バイトのスタッフィングバイトとに、
より構成されている。
【００２０】
そして、ＡＤＩ内に１秒後のアクセスユニットをサーチするための前方アクセ
スユニット・サーチポインタと、１秒前のアクセスユニットをサーチするための
後方アクセスユニット・サーチポインタがともに１バイトでセットされる。具体
的には、ＡＤＩの１バイト目に前方アクセスユニット・サーチポインタが、８バ
イト目に後方アクセスユニット・サーチポインタがセットされる。
このようにＡＤＩは、圧縮ＰＣＭでは４バイトに減少させるためオーディオデ
ータを２０１５バイトまで収納できる。
【００２１】
図６に示す圧縮ＰＣＭ（ＰＰＣＭ）のオーディオパケットにおけるオーディオ
データエリアは、図７に示すように複数のＰＰＣＭアクセスユニットにより構成
され、ＰＰＣＭアクセスユニットはＰＰＣＭシンク情報とサブパケットにより構
成されている。最初のＰＰＣＭアクセスユニット内のサブパケットは、ディレク
トリと、サブストリーム「ＢＳ０」と、ＣＲＣ（１バイト又は２バイト）と、サ
ブストリーム「ＢＳ１」と、ＣＲＣとエクストラ情報により構成され、サブスト
リーム「ＢＳ０」、「ＢＳ１」はＰＰＣＭブロックのみにより構成されている。
２番目以降のＰＰＣＭアクセスユニット内のサブパケットも、ディレクトリと、
サブストリーム「ＢＳ０」と、ＣＲＣと、サブストリーム「ＢＳ１」と、ＣＲＣ
とエクストラ情報により構成され、サブストリーム「ＢＳ０」、「ＢＳ１」はリ
スタートヘッダとＰＰＣＭブロックにより構成されている。
【００２２】
また、図２に示す符号化部２’−１、２’−２により予測符号化された可変レ
ートビットストリームデータをネットワークを介して伝送する場合には、符号化
側では図８示すように伝送用にパケット化し（ステップＳ４１）、次いでパケッ
トヘッダを付与し（ステップＳ４２）、次いでこのパケットをネットワーク上に
送り出す（ステップＳ４３）。復号側では図９に示すようにヘッダを除去し（ス
テップＳ５１）、次いでデータを復元し（ステップＳ５２）、次いでこのデータ
をメモリに格納して復号を待つ（ステップＳ５３）。
【００２３】
なお、上記実施形態では、ステレオ２chデータ（Ｌ、Ｒ）をそのまま伝送した
が、
「１」＝Ｌ＋Ｒ
「２」＝Ｌ−Ｒ
「３」〜「５」は同じ
「６」＝Ｌｆｅ−ａ×Ｃ
ただし、０≦ａ≦１                …（２）’
により６チャネル「１」〜「６」と共に、相関のある信号に変換して予測符号化
するようにしてもよい（第２の実施形態）。この場合には、復号化側のミクス＆
マトリクス回路４’はチャネル「１」、「２」を加算することによりチャネルＬ
を、減算することによりチャネルＲを生成することができる。
なお、上記実施例では、マルチチャンネル（６ｃｈ）とステレオ（２ｃｈ）と
復元するようにしているが、いずれか一方でもよいことは言うまでもない。
【００２４】
また、図１０は第３の実施の形態を示す図で、この場合にはダウンミックスす
ることなく、前方グループに関する２ch「１」、「２」を
「１」＝Ｌｆ＋Ｒｆ
「２」＝Ｌｆ−Ｒｆ
として伝送する。そして、再生側では、所望に応じて後段側のミックス＆マトリ
クス回路４’から出力されたダウンミックスされないステレオ２チャンネル信号
Ｌｆ，Ｒｆを使用したり、この回路４’内でダウンミックスされて取り出された
ステレオ２チャンネル信号Ｌ，Ｒを使用することもできる。
【００２５】
次に、図１１、図１２、図１３を参照して第４の実施形態について説明する。
上記の実施形態では、１グループの相関性の信号「１」〜「６」を予測符号化す
るように構成されているが、この第４の実施形態では複数グループの相関性のあ
る信号を生成して予測符号化し、圧縮率が最も高いグループの予測符号化データ
を選択するように構成されている。また、このこの実施例ではその１グループ内
における符号化は、前述の各実施例の場合のように前方グループに関する２ｃｈ
と他のグループに関する４ｃｈに分類して変換するようなことはせずに、一つに
まとめた符号化処理が行われる構成で、図１１は前述の図１に対応した図として
示してある。このため図１２に示す符号化部では、第１〜第ｎの相関回路１−１
〜１−ｎが設けられ、このｎ個の相関回路１−１〜１−ｎは例えば６ch（Ｌｆ、
Ｃ、Ｒｆ、Ｌｓ、Ｒｓ、Ｌｆｅ）のＰＣＭデータを、相関性が異なるｎ種類の６
ch信号「１」〜「６」に変換する。
【００２６】
例えば第１の相関回路１−１は以下のように変換し、
「１」＝Ｌｆ
「２」＝Ｃ−（Ｌｓ＋Ｒｓ）／２
「３」＝Ｒｆ−Ｌｆ
「４」＝Ｌｓ−ａ×Ｌｆｅ
「５」＝Ｒｓ−ｂ×Ｒｆ
「６」＝Ｌｆｅ
また、第ｎの相関回路１−ｎは以下のように変換し、
「１」＝Ｌｆ＋Ｒｆ
「２」＝Ｃ−Ｌｆ
「３」＝Ｒｆ−Ｌｆ
「４」＝Ｌｓ−Ｌｆ
「５」＝Ｒｓ−Ｌｆ
「６」＝Ｌｆｅ−Ｃ
また、他の相関回路は第１の実施形態のように変換する。
【００２７】
また、相関回路１−１〜１−ｎ毎に予測回路１５とバッファ・選択器１６が設
けられ、グループ毎の予測残差の最小値のデータ量に基づいて圧縮率が最も高い
グループが相関選択信号生成器１７ｂにより選択される。このとき、フォーマッ
ト化回路１９はその選択フラグ（相関回路選択フラグ、その相関回路の相関係数
ａ、ｂ）を追加して多重化する。
【００２８】
そして、図１３は前述の図６に対応したデータエリアを示し、この実施例で
はサブストリーム「ＢＳ１」を用いず、サブストリーム「ＢＳ０」のみで構成す
ることになる。
【００２９】
また、図１４に示す復号化側では、符号化側の相関回路１−１〜１−ｎに対し
てｎ個の相関回路４−１〜４−ｎ（又は係数ａ、ｂが変更可能な１つの相関回路
４）が設けられる。なお、図１２に示すｎグループの予測回路が同一の構成であ
る場合、復号装置では図１４に示すようにｎグループ分の予測回路を設ける必要
はなく、１つのグループ分の予測回路でよい。そして、符号化装置から伝送され
た選択フラグに基づいて相関回路４−１〜４−ｎの１つを選択、又は係数ａ、ｂ
を設定して元の６ch（Ｌｆ、Ｃ、Ｒｆ、Ｌｓ、Ｒｓ、Ｌｆｅ）を復元し、また、
式（１）によりマルチチャネルをダウンミクスしてステレオ２chデータ（Ｌ、Ｒ
）を生成する。
また、チャンネル数が「１」〜「６」の６チャンネル方式のものは、一例であ
って５チャンネル方式等他の方式のものであってもよい。
【００３０】
また、上記の第１の実施形態では、１種類の相関性の信号「１」〜「６」を予
測符号化するように構成されているが、この信号「１」〜「６」のグループと原
信号（Ｌｆ、Ｃ、Ｒｆ、Ｌｓ、Ｒｓ、Ｌｆｅ）のグループを予測符号化し、圧縮
率が高い方のグループを選択するようにしてもよい。
【図面の簡単な説明】
【００３１】
【図１】本発明が適用される音声符号化装置とそれに対応する音声復号装置の第１の実施形態を示すブロック図である。
【図２】図１の符号化部を詳しく示すブロック図である。
【図３】図１、図２の符号化部により符号化されたビットストリームを示す説明図である。
【図４】図１の復号化部を詳しく示すブロック図である。
【図５】ＤＶＤのパックのフォーマットを示す説明図である。
【図６】ＤＶＤのオーディオパックのフォーマットを示す説明図である。
【図７】図６のオーディオデータエリアのフォーマットを詳しく示す説明図である。
【図８】音声伝送方法を示すフローチャートである。
【図９】音声伝送方法を示すフローチャートである。
【図１０】第３の実施形態の音声符号化装置とそれに対応する音声復号装置を示すブロック図である。
【図１１】本発明が適用される音声符号化装置とそれに対応する音声復号装置の第４の実施形態を示すブロック図である。
【図１２】第４の実施形態の音声符号化装置を示すブロック図である。
【図１３】図７に対応した別の実施例の説明図である。
【図１４】第４の実施形態の音声復号装置を示すブロック図である。
【符号の説明】
【００３２】
１’  ６chミクス＆マトリクス回路（相関手段、ダウンミクス手段）
１３Ｄ１、１３Ｄ２、１５Ｄ１〜１５Ｄ４  予測回路（バッファ・選択器１４
Ｄ１、１４Ｄ２、１６Ｄ１〜１６Ｄ４と共に予測符号化手段を構成する。）
１４Ｄ１、１４Ｄ２、１６Ｄ１〜１６Ｄ４  バッファ・選択器
１９  フォーマット化回路（フォーマット化手段）
【図１】
2004326135.tif 000003
【図２】
2004326135.tif 000004
【図３】
2004326135.tif 000005
【図４】
2004326135.tif 000006
【図５】
2004326135.tif 000007
【図６】
2004326135.tif 000008
【図７】
2004326135.tif 000009
【図８】
2004326135.tif 000010
【図９】
2004326135.tif 000011
【図１０】
2004326135.tif 000012
【図１１】
2004326135.tif 000013
【図１２】
2004326135.tif 000014
【図１３】
2004326135.tif 000015
【図１４】
2004326135.tif 000016